【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
画像の境界を越えて拡張する外挿画像を生成するための方法であって、
前記画像の境界部分にアクセスすることと、
前記画像の前記境界部分のサイズ変更に基づいて第１の外挿画像を生成することであって、前記境界上のブロックの予測の推定角度を決定するためにイントラ予測が使用され、予測ブロックが前記第１の外挿画像において前記推定角度で伝播される、生成することと、
前記第１の外挿画像のブロックから決定された予測および重み付けに基づいて前記外挿画像を生成することであって、前記外挿画像が前記第１の外挿画像より高い解像度を有する、生成することと
を含む、方法。
【請求項２】
前記画像の前記境界部分が、前記画像の前記境界に隣接して表示される予定の拡張部分のサイズに適合させるためにサイズ変更され、水平方向に反転され、ぼかしが施される、請求項１に記載の方法。
【請求項３】
前記外挿画像に含まれる予定の重複ブロックの予測および重み付けに基づいてさらに実行され、ブロックマッチングアルゴリズムを使用して前記画像の少なくとも１つのマッチするブロックを決定することを含む、請求項１に記載の方法。
【請求項４】
前記外挿画像に含まれる予定の前記ブロックの前記重みを決定するために局所線形埋め込みが使用される、請求項３に記載の方法。
【請求項５】
前記外挿画像の以前に決定されたブロックを使用して、前記外挿画像に含まれる前記重複ブロックをブレンドすることをさらに含む、請求項３に記載の方法。
【請求項６】
前記外挿画像から決定された予測に基づいて、第２の外挿画像を生成することをさらに含み、前記第２の外挿画像が、前記外挿画像より高い解像度を有し、以前の外挿画像より高い解像度の外挿画像を生成する前記ステップが、Ｎ回繰り返される、請求項１〜５のいずれか一項に記載の方法。
【請求項７】
前記画像の上縁、左縁および右縁のそれぞれに対する外挿画像を生成することをさらに含む、請求項１〜６のいずれか一項に記載の方法。
【請求項８】
画像の境界を越えて拡張する外挿画像を生成するための装置であって、
画像にアクセスするように構成された入力と、
前記画像の境界部分にアクセスすること、前記画像の前記境界部分のサイズ変更に基づいて第１の外挿画像を生成することであって、前記境界上のブロックの予測の推定角度を決定するためにイントラ予測が使用され、予測ブロックが前記第１の外挿画像において前記推定角度で伝播される、生成すること、ならびに、前記第１の外挿画像のブロックから決定された予測および重み付けに基づいて前記外挿画像を生成することであって、前記外挿画像が前記第１の外挿画像より高い解像度を有する、生成することを行うように構成された少なくとも１つのプロセッサと
を含む、装置。
【請求項９】
前記画像の前記境界部分が、前記画像の前記境界に隣接して表示される予定の拡張部分のサイズに適合させるためにサイズ変更され、水平方向に反転され、ぼかしが施される、請求項８に記載の装置。
【請求項１０】
前記プロセッサが、前記外挿画像に含まれる予定の重複ブロックの予測および重み付けに基づいて前記外挿画像を生成するように構成され、ブロックマッチングアルゴリズムを使用して前記画像の少なくとも１つのマッチするブロックを決定することを含む、請求項８に記載の装置。
【請求項１１】
前記プロセッサが、局所線形埋め込みを使用して、前記外挿画像に含まれる予定の前記ブロックの前記重みを決定するように構成される、請求項１０に記載の装置。
【請求項１２】
前記プロセッサが、前記外挿画像の以前に決定されたブロックを使用して、前記外挿画像に含まれる前記重複ブロックをブレンドすることによって、前記外挿画像を生成するように構成される、請求項１０に記載の装置。
【請求項１３】
前記プロセッサが、前記外挿画像から決定された予測に基づいて、第２の外挿画像を生成するようにさらに構成され、前記第２の外挿画像が、前記外挿画像より高い解像度を有し、以前の外挿画像より高い解像度の外挿画像を生成する前記プロセスをＮ回繰り返す、請求項８〜１２のいずれか一項に記載の装置。
【請求項１４】
前記プロセッサが、前記画像の上縁、左縁および右縁のそれぞれに対する外挿画像を生成するように構成される、請求項８〜１３のいずれか一項に記載の装置。
【請求項１５】
非一時的なコンピュータ可読記憶媒体に格納されたコンピュータプログラム製品であって、
前記画像の境界部分にアクセスすることと、
前記画像の前記境界部分のサイズ変更に基づいて第１の外挿画像を生成することであって、前記境界上のブロックの予測の推定角度を決定するためにイントラ予測が使用され、予測ブロックが前記第１の外挿画像において前記推定角度で伝播される、生成することと、
前記第１の外挿画像のブロックから決定された予測および重み付けに基づいて前記外挿画像を生成することであって、前記外挿画像が前記第１の外挿画像より高い解像度を有する、生成することと
を行うためのコンピュータ実行可能命令を含む、コンピュータプログラム製品。
【手続補正２】
【補正対象書類名】明細書
【補正対象項目名】００７０
【補正方法】変更
【補正の内容】
【００７０】
当業者には明らかであるように、実装形態は、例えば、格納または送信することができる、情報を伝えるようにフォーマットされた様々な信号を生成することができる。情報は、例えば、方法を実行するための命令、または、説明される実施形態のうちの１つによって生成されたデータを含み得る。例えば、信号は、説明される実施形態のビットストリームを伝えるようにフォーマットすることができる。そのような信号は、例えば、電磁波として（例えば、スペクトルの高周波部分を使用して）またはベースバンド信号としてフォーマットすることができる。フォーマットすることは、例えば、データストリームを符号化すること、および、符号化されたデータストリームで搬送波を変調することを含み得る。信号が伝える情報は、例えば、アナログまたはデジタル情報であり得る。信号は、知られているように、様々な異なる有線および／または無線リンク上で送信することができる。信号は、プロセッサ可読媒体上に格納することができる。
［付記１］
画像（７１０）の境界を越えて拡張する外挿画像（７２０）を生成するための方法であって、
前記画像の一部分（８１４）にアクセスすること（１１２０）と、
前記画像の前記一部分に基づいて第１の外挿画像（８２０）を生成すること（１０３０）であって、予測の推定角度を決定するためにイントラ予測を使用すること、および、前記第１の外挿画像において予測ブロックを前記推定角度で伝播することを含む、生成すること（１０３０）と、
前記第１の外挿画像のブロック（８２２）から決定された予測および重み付けに基づいて第２の外挿画像（８４０）を生成することであって、前記第２の外挿画像が前記第１の外挿画像より高い解像度を有する、生成することと
を含む、方法。
［付記２］
第１の外挿画像（８２０）を生成することが、前記画像の前記境界に隣接して表示される予定の拡張部分のサイズに適合させるために、前記画像（８１０）の前記一部分をサイズ変更することと、前記サイズ変更した部分を垂直軸の周りで回転することと、前記サイズ変更した部分にぼかしを施すこととを含む、付記１に記載の方法。
［付記３］
前記第２の外挿画像（８４０）を生成することが、前記第２の外挿画像に含まれる予定の重複ブロックの予測および重み付けに基づいて実行され、ブロックマッチングアルゴリズムを使用して前記画像の少なくとも１つのマッチするブロック（８２２）を決定することを含む、付記１に記載の方法。
［付記４］
前記第２の外挿画像（８４０）に含まれる予定の前記ブロックの前記重みを決定するために局所線形埋め込みが使用される、付記３に記載の方法。
［付記５］
前記第２の外挿画像（８４０）を生成することが、前記第２の外挿画像の以前に決定されたブロックを使用して、前記第２の外挿画像に含まれる前記重複ブロックをブレンドすることを含む、付記３に記載の方法。
［付記６］
前記第２の外挿画像（８４０）から決定された予測に基づいて、第３の外挿画像を生成することをさらに含み、前記第３の外挿画像が、前記第２の外挿画像より高い解像度を有し、以前の外挿画像より高い解像度の外挿画像を生成する前記ステップが、Ｎ回繰り返される、付記１〜５のいずれか一項に記載の方法。
［付記７］
前記画像の上縁（１４０）、左縁（１２０）および右縁（１３０）のそれぞれに対する外挿画像を生成することをさらに含む、付記１〜６のいずれか一項に記載の方法。
［付記８］
画像の境界を越えて拡張する外挿画像を生成するための装置（１１１０）であって、
画像（８２０）にアクセスするように構成された入力（１１１０）と、
前記画像の一部分（８１４）にアクセスすること、前記画像の前記一部分に基づいて第１の外挿画像（８２０）を生成することであって、予測の推定角度を決定するためにイントラ予測を使用すること、および、前記第１の外挿画像において予測ブロックを前記推定角度で伝播することを含む、生成すること、ならびに、前記第１の外挿画像のブロックから決定された予測および重み付けに基づいて第２の外挿画像（８４０）を生成することであって、前記第２の外挿画像が前記第１の外挿画像より高い解像度を有する、生成することを行うように構成された少なくとも１つのプロセッサ（１１４０）と
を含む、装置（１１１０）。
［付記９］
前記プロセッサ（１１４０）が、前記画像の前記境界に隣接して表示される予定の拡張部分のサイズに適合させるために、前記画像の前記一部分をサイズ変更すること、前記サイズ変更した部分を垂直軸の周りで回転すること、前記サイズ変更した部分にぼかしを施すことによって、第１の外挿画像（８２０）を生成するように構成される、付記８に記載の装置。
［付記１０］
前記プロセッサ（１１４０）が、前記第２の外挿画像に含まれる予定の重複ブロックの予測および重み付けに基づいて前記外挿画像（８４０）を生成するように構成され、ブロックマッチングアルゴリズムを使用して前記画像の少なくとも１つのマッチするブロックを決定することを含む、付記８に記載の装置。
［付記１１］
前記プロセッサ（１１４０）が、局所線形埋め込みを使用して、前記第２の外挿画像に含まれる予定の前記ブロックの前記重みを決定するように構成される、付記１０に記載の装置。
［付記１２］
前記プロセッサ（１１４０）が、前記第２の外挿画像の以前に決定されたブロックを使用して、前記第２の外挿画像に含まれる前記重複ブロックをブレンドすることによって、第２の外挿画像（８４０）を生成するように構成される、付記１０に記載の装置。
［付記１３］
前記プロセッサ（１１４０）が、前記第２の外挿画像（８４０）から決定された予測に基づいて、第３の外挿画像を生成するようにさらに構成され、前記第３の外挿画像が、前記第２の外挿画像より高い解像度を有し、以前の外挿画像より高い解像度の外挿画像を生成する前記プロセスをＮ回繰り返す、付記８〜１２のいずれか一項に記載の装置。
［付記１４］
前記プロセッサ（１１４０）が、前記画像の上縁、左縁および右縁のそれぞれに対する外挿画像を生成するように構成される、付記８〜１３のいずれか一項に記載の装置。
［付記１５］
非一時的なコンピュータ可読記憶媒体（１１６０）に格納されたコンピュータプログラム製品であって、
前記画像の一部分（８１２）にアクセスすること（１０２０）と、
前記画像の前記一部分に基づいて第１の外挿画像（８２０）を生成すること（１０３０）であって、予測の推定角度を決定するためにイントラ予測を使用すること、および、前記第１の外挿画像において予測ブロックを前記推定角度で伝播することを含む、生成すること（１０３０）と、
前記第１の外挿画像のブロックから決定された予測および重み付けに基づいて第２の外挿画像（８４０）を生成すること（１０４０〜１０７０）であって、前記第２の外挿画像が前記第１の外挿画像より高い解像度を有する、生成すること（１０４０〜１０７０）と
を行うためのコンピュータ実行可能命令を含む、コンピュータプログラム製品。